(57)【特許請求の範囲】
【請求項１】
通常時は商用電源からの電力供給によって作動し、停電時には二次電池からの電力供給によって作動する給湯器であって、
該給湯器に設けられた電動機器には、制御装置と該制御装置を介して電力が供給される複数の被制御機器とがあって、停電時、前記制御装置は前記二次電池から継続的に電力が供給され、前記被制御機器の一部又は全部は、特定の作動スイッチによって前記二次電池からの電力供給が開始され、前記特定の作動スイッチによって開始された前記被制御機器への電力供給は、タイマーによって所定時間後に遮断され、前記被制御機器への電力供給は、新たな前記特定の作動スイッチによって再開されることを特徴とする給湯器。
【請求項２】
請求項１記載の給湯器において、前記特定の作動スイッチによって開始された前記被制御機器への電力供給が遮断される前に、音を発することを特徴とする給湯器。
【請求項３】
通常時は商用電源からの電力供給によって作動し、停電時には二次電池からの電力供給によって作動する給湯器であって、
該給湯器に設けられた電動機器には、制御装置と該制御装置を介して電力が供給される複数の被制御機器とがあって、停電時、前記制御装置は前記二次電池から継続的に電力が供給され、前記被制御機器の一部又は全部は、特定の作動スイッチによって前記二次電池からの電力供給が開始され、前記被制御機器には、浴槽への湯張り、あるいは該浴槽の追焚きが行われる際に作動する浴槽関連機器があって、停電時、前記二次電池から前記浴槽関連機器への電力供給は、前記特定の作動スイッチによっても開始されないことを特徴とする給湯器。
【請求項４】
通常時は商用電源からの電力供給によって作動し、停電時には二次電池からの電力供給によって作動する給湯器であって、
該給湯器に設けられた電動機器には、制御装置と該制御装置を介して電力が供給される複数の被制御機器とがあって、停電時、前記制御装置は前記二次電池から継続的に電力が供給され、前記被制御機器の一部又は全部は、特定の作動スイッチによって前記二次電池からの電力供給が開始され、前記被制御機器には、通常時に所定の作動条件によって作動を開始し凍結を防止するヒータがあって、停電時、前記二次電池から前記ヒータへの電力供給は、前記所定の作動条件によっても開始されず、該ヒータは停電が終わるまで停止状態を維持することを特徴とする給湯器。
【請求項５】
通常時は商用電源からの電力供給によって作動し、停電時には二次電池からの電力供給によって作動する給湯器であって、
該給湯器に設けられた電動機器には、制御装置と該制御装置を介して電力が供給される複数の被制御機器とがあって、停電時、前記制御装置は前記二次電池から継続的に電力が供給され、前記被制御機器の一部又は全部は、特定の作動スイッチによって前記二次電池からの電力供給が開始され、給湯温度として設定可能な温度の上限値は、停電時が、通常時に比べて低い値となることを特徴とする給湯器。
【請求項６】
通常時は商用電源からの電力供給によって作動し、停電時には二次電池からの電力供給によって作動する給湯器であって、
該給湯器に設けられた電動機器には、制御装置と該制御装置を介して電力が供給される複数の被制御機器とがあって、停電時、前記制御装置は前記二次電池から継続的に電力が供給され、前記被制御機器の一部又は全部は、特定の作動スイッチによって前記二次電池からの電力供給が開始され、前記被制御機器には、給湯温度を調整する混合弁及び給湯する湯の流量を調整する比例弁があって、前記混合弁及び前記比例弁は、通常時に作動が可能な状態を保ち、停電時は所定の開度を確保して停止状態となることを特徴とする給湯器。
【発明の詳細な説明】
【技術分野】
【０００１】
本発明は、バーナーによって水を加熱して湯を供給する給湯器に関する。
【背景技術】
【０００２】
バーナーの熱を利用して水を加熱し、給湯栓（蛇口やシャワー）に湯を供給する給湯器は、バーナーに空気を供給するファンや、操作用のリモコン等、電力が供給されて作動する電動機器を多く備えている（例えば、特許文献１参照）。
給湯器は、商用電源からの電力によって、これらの電動機器を作動させ、給湯栓に対して所定温度の湯を供給する。
【先行技術文献】
【特許文献】
【０００３】
【特許文献１】特開２０１１−１６３７１１号公報
【発明の概要】
【発明が解決しようとする課題】
【０００４】
しかしながら、商用電源からの電力供給は、災害、事故等によって停止することがあり、従来の給湯器では、商用電源からの電力供給が停止した際に、給湯栓に湯を供給することができないという問題があった。
本発明は、かかる事情に鑑みてなされるもので、二次電池を備え、停電時には二次電池に蓄えられた電力を用いて湯の供給を行う給湯器を提供することを目的とする。
【課題を解決するための手段】
【０００５】
前記目的に沿う第１〜第５の発明に係る給湯器は、通常時は商用電源からの電力供給によって作動し、停電時には二次電池からの電力供給によって作動する給湯器であって、該給湯器に設けられた電動機器には、制御装置と該制御装置を介して電力が供給される複数の被制御機器とがあって、停電時、前記制御装置は前記二次電池から継続的に電力が供給され、前記被制御機器の一部又は全部は、特定の作動スイッチによって前記二次電池からの電力供給が開始される。
【０００６】
第１の発明に係る給湯器は、前記特定の作動スイッチによって開始された前記被制御機器への電力供給は、タイマーによって所定時間後に遮断され、前記被制御機器への電力供給は、新たな前記特定の作動スイッチによって再開される。
【０００７】
第１の発明に係る給湯器において、前記特定の作動スイッチによって開始された前記被制御機器への電力供給が遮断される前に、音を発するのが好ましい。
【０００８】
第２の発明に係る給湯器は、前記被制御機器には、浴槽への湯張り、あるいは該浴槽の追焚きが行われる際に作動する浴槽関連機器があって、停電時、前記二次電池から前記浴槽関連機器への電力供給は、前記特定の作動スイッチによっても開始されない。
【０００９】
第３の発明に係る給湯器は、前記被制御機器には、通常時に所定の作動条件によって作動を開始し凍結を防止するヒータがあって、停電時、前記二次電池から前記ヒータへの電力供給は、前記所定の作動条件によっても開始されず、該ヒータは停電が終わるまで停止状態を維持する。
【００１０】
第４の発明に係る給湯器は、給湯温度として設定可能な温度の上限値は、停電時が、通常時に比べて低い値となる。
【００１１】
第５の発明に係る給湯器は、前記被制御機器には、給湯温度を調整する混合弁及び給湯する湯の流量を調整する比例弁があって、前記混合弁及び前記比例弁は、通常時に作動が可能な状態を保ち、停電時は所定の開度を確保して停止状態となる。
【発明の効果】
【００１２】
第１〜第５の発明に係る給湯器は、給湯器に設けられた電動機器に、制御装置と制御装置を介して電力が供給される複数の被制御機器とがあって、停電時、制御装置は二次電池から継続的に電力が供給され、被制御機器の一部又は全部は、特定の作動スイッチによって二次電池からの電力供給が開始される。従って、停電時には、二次電池からの電力供給によって湯を供給することが可能であり、しかも、停電時に常時、被制御機器に対して二次電池からの電力供給を行う場合に比べ、電力消費を抑制することができ、二次電池の電力で作動して給湯する時間を長くすることが可能である。
【００１３】
第１の発明に係る給湯器は、特定の作動スイッチによって開始された被制御機器への電力供給が、タイマーによって所定時間後に遮断され、被制御機器への電力供給が、新たな特定の作動スイッチによって再開されるので、給湯がなされていないにも関わらず、被制御機器への電力供給を行って電力消費が継続される状況を確実に回避することができる。
【００１４】
第１の発明に係る給湯器において、特定の作動スイッチによって開始された被制御機器への電力供給が遮断される前に、音を発する場合、被制御機器の作動が停止することを事前に使用者に知らせることができる。
【００１５】
第２の発明に係る給湯器は、停電時、二次電池から浴槽関連機器への電力供給が、所定の作動条件によっても開始されず、第３の発明に係る給湯器は、二次電池からヒータへの電力供給が、所定の作動条件によっても開始されず、ヒータが停電が終わるまで停止状態を維持するので、停電時に作動可能な被制御機器を限定して、二次電池の電力消費を確実に抑制することができる。
【００１６】
第４の発明に係る給湯器は、給湯温度として設定可能な温度の上限値が、停電時に、通常時に比べて低い値となるので、湯を加熱する際に使用される電力消費を抑制でき、二次電池の電力を利用した給湯時間を長く確保することが可能である。
【００１７】
第５の発明に係る給湯器は、混合弁及び比例弁が、停電時に所定の開度を確保して停止状態となるので、混合弁及び比例弁は、所定の開度を確保するために作動して電力を消費した後に電力を消費しなくなり、停電時の給湯に消費される電力を抑制することが可能である。
【図面の簡単な説明】
【００１８】
【図１】本発明の一実施の形態に係る給湯器の説明図である。
【図２】マイクロコンピュータの信号接続を示すブロック図である。
【発明を実施するための形態】
【００１９】
続いて、添付した図面を参照しつつ、本発明を具体化した実施の形態につき説明し、本発明の理解に供する。
図１に示すように、本発明の一実施の形態に係る給湯器１０は、通常時は商用電源１１からの電力供給によって作動し、停電時には二次電池１２からの電力供給によって作動して、所定温度の湯を蛇口１３及びシャワー１４に供給する。以下、詳細に説明する。
【００２０】
給湯器１０は、図１に示すように、バーナー１５と、給水管１６に接続された熱交換器１７を有し、給水管１６から熱交換器１７に供給された水をバーナー１５によって加熱する。
バーナー１５は、バーナー１５に接続されたポンプ１８によって液体燃料（本実施の形態では灯油）が供給され、液体燃料を燃焼して発生させた燃焼ガスによって熱交換器１７を通過する水を加熱する。バーナー１５の火力は、ポンプ１８を介して供給される液体燃料の供給量によって調整されるので、ポンプ１８の運転レベルを調節することによって、熱交換器１７を通過する水の加熱量を変えることができる。
バーナー１５の近傍には、バーナー１５に空気を送るファン１９が設けられ、バーナー１５の使用時は、ファン１９が作動しバーナー１５に空気を供給する。なお、バーナー１５には、点火装置の一例である、図示しないイグナイターが設けられている。また、本実施の形態では、バーナー１５、ポンプ１８及びファン１９が一体となったバーナー装置１９ａが用いられている。
【００２１】
熱交換器１７の湯の出側は、蛇口１３及びシャワー１４に設定温度の湯を供給する給湯流路２２に連結され、給湯流路２２には、浴槽２０に湯を供給する湯張り流路２１が連結されている。
給湯流路２２には、熱交換器１７から送られてきた湯に水を混合し、給湯温度を調整する混合弁２４と給湯する湯（即ち熱交換器１７から流れ出た湯）の流量を調整する比例弁２５が設けられている。
熱交換器１７からの湯が設定温度を超えている場合、混合弁２４で熱交換器１７からの湯に水が混合され、蛇口１３やシャワー１４に供給される湯の温度を下げる。混合弁２４は、熱交換器１７からの湯と水の混合比を開度を変えることによって調整する。
比例弁２５は、開度を変えて給湯流路２２を流れる湯の流量を調整する。
【００２２】
給水管１６には、熱交換器１７や混合弁２４に供給される水の温度を計測する温度センサ２６が設けられ、熱交換器１７の下流側には、熱交換器１７から流れ出る湯の温度を計測する温度センサ２７が設けられている。混合弁２４における湯と水の混合比は、温度センサ２６、２７の各計測温度を基にして決定される。
また、給湯流路２２には、混合弁２４から出た湯の温度を計測する温度センサ２８が設けられ、蛇口１３やシャワー１４に供給される湯の温度が設定温度であるか否かは、この温度センサ２８の計測温度によって検知することができる。
【００２３】
また、湯張り流路２１は、温度センサ２８の下流側で給湯流路２２に連結されている。湯張り流路２１には、開閉弁２３が設けられ、浴槽２０への湯張りを行う際にはこの開閉弁２３を開き、湯張り流路２１を介して浴槽２０に湯が供給される。そして、浴槽２０への湯張りが終了すると、開閉弁２３は閉じられる。
【００２４】
浴槽２０には、循環ポンプ２９及び熱交換器３０が設けられた追焚き回路３１が接続されている。
循環ポンプ２９が作動すると、追焚き回路３１に浴槽２０の湯が循環し、浴槽２０内の湯は、熱交換器３０を通過して浴槽２０に戻る。熱交換器３０は、バーナー１５の燃焼によって発生する燃焼ガスの熱を利用して熱交換器３０を通過する湯を加熱するので、熱交換器３０を通過し浴槽２０に戻る湯は、浴槽２０から熱交換器３０に向かう湯に比べて高温になる。
なお、循環ポンプ２９を作動して追焚き回路３１に湯を循環させているときには、開閉弁２３は閉じられている。
また、給湯流路２２、追焚き回路３１及び給水管１６には、凍結を防止するヒータ３２、３２ａ、３２ｂがそれぞれ取付けられている。本実施の形態では、ヒータ３２は給湯流路２２を形成する管に取付けられ、ヒータ３２ａは循環ポンプ２９に取付けられているが、他の場所にヒータを取付けてもよい。ヒータ３２、３２ａ、３２ｂは、通常時（即ち、商用電源１１から電力が供給されている時）、所定の作動条件によって、例えば、外気温度が所定温度以下になると作動する。
【００２５】
給湯器１０には、バーナー１５、ポンプ１８、ファン１９、開閉弁２３、混合弁２４、比例弁２５、温度センサ２６〜２８、循環ポンプ２９及びヒータ３２、３２ａ、３２ｂをはじめとする多くの電動機器（電力を供給されて作動する機器）が設けられ、これらの電動機器には制御装置３３（電動機器の一例）が接続されている。
制御装置３３は、商用電源１１と電動機器を電気的に接続する電力供給回路３３ａ及び各種プログラムが搭載されたマイクロコンピュータ３３ｂ（演算器の一例）を備えている。なお、電力供給回路３３ａ及びマイクロコンピュータ３３ｂもそれぞれ電動機器である。
【００２６】
通常時、即ち商用電源１１が電力を供給可能な状態の時、電力供給回路３３ａに接続された電動機器（マイクロコンピュータ３３ｂを含む）には、電力供給回路３３ａを介して商用電源１１からの電力が供給される。
マイクロコンピュータ３３ｂは、図２に示すように、バーナー１５、ポンプ１８、ファン１９、開閉弁２３、混合弁２４、比例弁２５、温度センサ２６〜２８、循環ポンプ２９及びヒータ３２、３２ａ、３２ｂに信号接続され、指令信号を送信することによって、これらの電動機器を作動させることができる。
【００２７】
給湯器１０には、図１に示すように、二次電池１２が設けられ、停電時、即ち商用電源１１からの電力供給が停止した時には、電動機器に対して二次電池１２から電力が供給される。
二次電池１２は、交流電力を直流電力に変換するコンバータ３５を介して商用電源１１に電気的に接続され、通常時、商用電源１１からの電力供給によって充電される。二次電池１２としては、鉛蓄電池、リチウムイオン二次電池等を採用することができる。
【００２８】
二次電池１２の電力出力側には、インバータ３６が設けられている。インバータ３６は、停電時に二次電池１２から電力を供給されて作動し、二次電池１２から出力される直流電力を交流電力に変換する。インバータ３６から出力される交流電力は電力供給回路３３ａに供給される。
【００２９】
インバータ３６と制御装置３３の間には、電力供給回路３３ａへの電力の送り元を切り替えるスイッチ３７が設けられている。
スイッチ３７は、商用電源１１から供給されていた電源が遮断されると、インバータ３６と電力供給回路３３ａを電気的に接続し、インバータ３６と電力供給回路３３ａを電気的に接続している状態で商用電源１１からの電力供給が再開されると、商用電源１１と電力供給回路３３ａを電気的に接続する。スイッチ３７をこのように切り替えることによって、通常時、商用電源１１からの電力が電力供給回路３３ａに供給され、停電時に、二次電池１２からの電力がインバータ３６を介して電力供給回路３３ａに供給されるようにする。
【００３０】
また、二次電池１２は、図１に示すように、インバータ３６を介してサービス用コンセント３８に電気的に接続されている。給湯器１０は、停電時に、二次電池１２からの直流電量をインバータ３６で交流電力に変換し、その変換した交流電力をサービス用コンセント３８を介して外部の機器に供給することができる。
なお、二次電池１２、コンバータ３５及びインバータ３６は、制御装置３３、バーナー１５、ファン１９等と共に筐体３９内に配置されている。
【００３１】
二次電池１２は、筐体３９内に形成され、ファン１９の作動によって外部から空気が取り込まれる給気路４０に設けられ、給気路４０のファン１９の上流側に配置されている。そのため、二次電池１２は、ファン１９が作動中に給気路４０を流れる空気によって空冷される。
マイクロコンピュータ３３ｂには、温度センサ４１が信号接続されている。温度センサ４１は、電動機器の１つであって、商用電源１１あるいは二次電池１２から電力供給回路３３ａを介して電力を供給されて作動し、二次電池１２の表面温度を計測する。
【００３２】
マイクロコンピュータ３３ｂは、通常時、温度センサ４１から得た二次電池１２の表面温度が所定温度（例えば６０〜９０℃の範囲で予め定められた温度）以上であった際に、バーナー１５が不使用時であっても、ファン１９を作動して二次電池１２を空冷する。
従って、二次電池１２は、高温状態が継続するのを抑制される。
二次電池は一般的に高温状態が継続すると短命になるので、このファン１９による空冷は、二次電池１２の寿命を長くするのに有効である。
【００３３】
本実施の形態では、停電時に、二次電池１２から温度センサ４１に対して電力が供給されず（即ち、二次電池１２の表面温度は計測されない）、ファン１９の作動はバーナー１５を使用しているときのみに限定され、二次電池１２に充電された電力の消費を抑制する設計となっている。これに対し、停電時にも二次電池１２から温度センサ４１に電力を供給し、二次電池１２の表面温度が所定温度以上になったのが検知されると、バーナー１５の燃焼を行っていない時であっても、ファン１９を作動させ二次電池１２を空冷するようにすることもできる。
【００３４】
マイクロコンピュータ３３ｂには、図２に示すように、リビングやキッチンに配置される給湯リモコン４２及び浴室内に配置される浴室リモコン４３が信号接続されている。給湯器１０の使用者は、給湯リモコン４２及び浴室リモコン４３を操作して、浴槽２０の湯張り温度や、蛇口１３及びシャワー１４に供給する湯の温度を設定することができる。給湯リモコン４２及び浴室リモコン４３は、入力された温度等を表示する画面及び操作用の複数の入力ボタンを有している。
なお、給湯リモコン４２及び浴室リモコン４３も、図１に示すように、電力供給回路３３ａに電気的に接続された電動機器であり、通常時は、商用電源１１から電力を供給され、停電時には、二次電池１２から電力を供給されて作動する。
【００３５】
通常時、シャワー１４及び蛇口１３への給湯と浴槽２０への湯張りと浴槽２０の追焚きとは、それぞれ所定の操作によって開始され、全ての電動機器（マイクロコンピュータ３３ｂ、インバータ３６及びスイッチ３７を除く）は、適宜、マイクロコンピュータ３３ｂから指令信号を送信されて作動する。
ここで、電動機器には、制御装置３３（マイクロコンピュータ３３ｂ及び電力供給回路３３ａ）と、制御装置３３を介して電力が供給される被制御機器とがある。以下、制御装置３３とこれらの被制御機器とを区別して、停電時における給湯器１０の動きについて説明する。また、浴槽２０への湯張り、あるいは浴槽２０の追焚きが行われる際に作動する被制御機器を浴槽関連機器とする。本実施の形態では、開閉弁２３及び循環ポンプ２９が浴槽関連機器にあたる。
【００３６】
マイクロコンピュータ３３ｂは、停電時、浴槽２０への湯張り及び浴槽２０の追焚きを禁止する。具体的には、浴槽関連機器である開閉弁２３及び循環ポンプ２９には、給湯リモコン４２や浴室リモコン４３でいかなる操作がなされても、二次電池１２からの電力供給が行われない。
また、停電時は、ヒータ３２、３２ａ、３２ｂ及び温度センサ４１に対しても、二次電池１２からの電力供給を行わないようにして、ヒータ３２、３２ａ、３２ｂ及び温度センサ４１を停電が終わるまで停止状態にし、停電時に二次電池１２の電力消費を抑制している。従って、ヒータ３２、３２ａ、３２ｂは、停電時に、外気温度が所定温度以下になっても作動することはない。
【００３７】
これに対し、浴槽関連機器及びヒータ３２、３２ａ、３２ｂを除く被制御機器の一部、具体的には、バーナー１５、ポンプ１８、ファン１９、混合弁２４、比例弁２５及び温度センサ２６〜２８には、停電時に、特定の作動スイッチによって二次電池１２からの電力供給が行われる。
特定の作動スイッチとは、給湯リモコン４２及び浴室リモコン４３にそれぞれ設けられた特定の入力ボタンであり、停電時は、この入力ボタンを操作することによって二次電池１２からの電力供給が開始される。以下、バーナー１５、ポンプ１８、ファン１９、混合弁２４、比例弁２５及び温度センサ２６〜２８をまとめて「一部の被制御機器」ともいう。
【００３８】
制御装置３３には、停電時、二次電池１２から継続的に電力が供給されている。電力供給回路３３ａには、インバータ３６から出力される交流電力がスイッチ３７を介して供給され、マイクロコンピュータ３３ｂには、二次電池１２からの交流電力がスイッチ３７及び電力供給回路３３ａを介して供給される。
マイクロコンピュータ３３ｂは、給湯リモコン４２又は浴室リモコン４３において特定の作動スイッチがなされたことを検出すると、電力供給回路３３ａの状態を切り替える。この切り替えによって、二次電池１２からの電力供給が停止されていた一部の被制御機器に対して、二次電池１２からの電力供給が開始され、蛇口１３及びシャワー１４は給湯が可能な状態となる。
【００３９】
マイクロコンピュータ３３ｂは、タイマー機能を有し、一部の被制御機器に二次電池１２の電力を供給し始めてから所定時間経過したのを検知することができる。マイクロコンピュータ３３ｂが一部の被制御機器に二次電池１２の電力を供給し始めてから所定時間経過したのを検知すると、二次電池１２から一部の被制御機器への電力供給は遮断され、蛇口１３及びシャワー１４への給湯がなされない状態にする。
【００４０】
給湯リモコン４２及び浴室リモコン４３は、特定の作動スイッチによって開始された一部の被制御機器への電力供給が遮断される前に、アラーム音を発し、使用者に対して給湯を停止する旨を事前に知らせる。
そして、二次電池１２に余力がある場合（即ち、二次電池１２に電力が蓄えられている場合）、新たな特定の作動スイッチによって、二次電池１２から一部の被制御機器への電力供給は再開され、蛇口１３及びシャワー１４への給湯が可能な状態になる。
【００４１】
また、混合弁２４及び比例弁２５は、通常時に作動が可能な状態を保ち、適宜作動して、混合弁２４は、蛇口１３、シャワー１４及び浴槽２０に給湯される湯の温度の揺らぎを抑制し、比例弁２５は流量調整を行うが、停電時、混合弁２４及び比例弁２５は、所定の開度を確保して停止状態となる。従って、停電時は、混合弁２４及び比例弁２５が、所定の開度となった後に作動せず、電力を消費しない。このため、給湯器１０は全体の電力消費が抑えられた状態となる。
停電時、給湯温度として、給湯リモコン４２又は浴室リモコン４３で設定可能な温度の上限値は、通常時に比べて低い値となる。例えば、通常時に６０℃であった上限値は、停電時に４０℃になる。このような制御を行うことによって、ポンプ１８の運転レベルの上限を制限し、二次電池１２に充電されている電力の消費を抑制するようにしている。
【００４２】
以上、本発明の実施の形態を説明したが、本発明は、上記した形態に限定されるものでなく、要旨を逸脱しない条件の変更等は全て本発明の適用範囲である。
例えば、バーナーは、ガス燃料式のものであってもよい。
また、停電時、特定の作動スイッチによって二次電池からの電力供給を開始する対象を、被制御機器の一部でなく、被制御機器の全部にすることもできる。
【符号の説明】
【００４３】
１０：給湯器、１１：商用電源、１２：二次電池、１３：蛇口、１４：シャワー、１５：バーナー、１６：給水管、１７：熱交換器、１８：ポンプ、１９：ファン、１９ａ：バーナー装置、２０：浴槽、２１：湯張り流路、２２：給湯流路、２３：開閉弁、２４：混合弁、２５：比例弁、２６〜２８：温度センサ、２９：循環ポンプ、３０：熱交換器、３１：追焚き回路、３２、３２ａ、３２ｂ：ヒータ、３３：制御装置、３３ａ：電力供給回路、３３ｂ：マイクロコンピュータ、３５：コンバータ、３６：インバータ、３７：スイッチ、３８：サービス用コンセント、３９：筐体、４０：給気路、４１：温度センサ、４２：給湯リモコン、４３：浴室リモコン
【図１】
0005827865.tif 000002
【図２】
0005827865.tif 000003